(57)【要約】      （修正有）【課題】安定性に優れ、使用感が良く、耐久性に優れた、挟持具を形成する食事用具を提供する。【解決手段】食物保持部Ｓ１０、Ｆ１０と把持部とからなり全体が比較的硬質な合成樹脂を用いて一体成型される。把持部の側縁に切り欠き部Ｓ３０、Ｆ３０を形成し、食事用具２本を組み合わせ切欠き部を着脱自在に嵌合させ、２本の食事用具が挟持具状を形成する。各食事用具の切欠き部は各把持部の一側縁に嵌入部Ｓ３１、Ｆ３１と咬合部で形成され、各嵌入部は各把持部の一側縁に設けた切欠き部に対向する把持部の他側縁を嵌脱可能に嵌入するように形成し、各咬合部は嵌入部に嵌入した把持部他側縁Ｓ２４、Ｆ２４をさらに嵌脱可能に嵌合するように形成する。【選択図】図４
0003175633.tif 000002
【実用新案登録請求の範囲】
【請求項１】
食物保持部と把持部とからなり全体が比較的硬質な合成樹脂を用いて一体成型される飲食用の食事用具であり、該把持部の側縁に切り欠き部を形成し、該食事用具２本を組み合わせたときには該切欠き部を着脱自在に嵌合させ当該２本の食事用具が挟持具状を形成するようにした食事用具において、各食事用具の切欠き部は各把持部の一側縁に嵌入部と咬合部で形成され、各嵌入部は各把持部の一側縁に設けた切欠き部に対向する把持部の他側縁を嵌脱可能に嵌入するように形成し、各咬合部は嵌入部に嵌入した把持部他側縁をさらに嵌脱可能に嵌合するように形成することを特徴とする、挟持具を形成する食事用具。
【請求項２】
前記各食事用具の把持部の表側には前記切欠き部から前記食物保持部の方向に任意の長さの溝状を形成し、前記切欠き部と前記溝状の一端部が連接するように形成することを特徴とする、請求項１に記載の挟持具を形成する食事用具。
【請求項３】
前記各食事用具の裏側で、把持部と食物保持部の間に指を係止させる凸状体を設けることを特徴とする、請求項１または／及び請求項２に記載の挟持具を形成する食事用具。
【考案の詳細な説明】
【技術分野】
【０００１】  本考案は、食物保持部と把持部とからなり全体が比較的硬質な合成樹脂を用いて一体成型される飲食用の食事用具であり、該把持部の側縁に切り欠き部を形成し、該食事用具２本を組み合わせたときには該切欠き部を着脱自在に嵌合させ当該２本の食事用具が挟持具状を形成するようにした食事用具に関する。
【背景技術】
【０００２】  従来から、フォークやスプーン等二つの食事用具を一つに組み合わせてトング（挟持具）機能を持たせた食事用具が知られている。【０００３】  例えば、ナイフ、フォーク、スプーン等の洋食器具の柄部に、それぞれ、横幅の２分の１の深さの切り欠きを、垂直に有し、その内の二本の柄部の切り欠き部同士を嵌合させて、松葉状に組み合わせてトング挟みとする構造、であることを特徴とする組み合わせ洋食器具が知られている。（特許文献１を参照する）【０００４】  また、例えば、それぞれ単独でも使用し得る２本の洋食器を組み合わせて挟み具としても使用し得るようにした新規な洋食器の提供を課題とし、その解決手段として、それぞれ単独で使用し得る洋食器における柄部には弾性を備えさせると共に該柄部の側縁には切り欠き部を設け、該洋食器２本を各柄部の切り欠き部を相互に噛み合わせることにより係脱自在に組み合わせ得るようになし、該洋食器２本を組み合わせたときには当該２本の洋食器が挟み具を形成するようにしたことを特徴とする洋食器が知られている。（特許文献２を参照する）
【先行技術文献】
【特許文献】
【０００５】
【特許文献１】実開平３−４７５５号公開公報
【特許文献２】特開２０００−３４２４２１号公開公報
【考案の開示】
【考案が解決しようとする課題】
【０００６】  ところが、特許文献１の組み合わせ洋食器具である、ナイフ、フォーク、スプーン等の洋食器具の柄部に、それぞれ、横幅の２分の１の深さの切り欠きを、垂直に有し、この切り欠き部同士を嵌合させて松葉状に組み合わせてトング挟みとする構造では、特許文献１の洋食器具の柄部に、単純な形状の切り欠き部を形成した程度なので、この切り欠き部同士を嵌合させて松葉状に組み合わせてトングとして用いた場合は、安定性に欠け、使用感が良くないという指摘を受け、さらに耐久性にも問題があるという指摘も受けている。【０００７】  また、特許文献２の洋食器の、該柄部の側縁には切り欠き部を設け、該洋食器２本を各柄部の切り欠き部を相互に噛み合わせることにより係脱自在に組み合わせ得るようになし、該洋食器２本を組み合わせたときには当該２本の洋食器が挟み具を形成するようにした切り欠き部であることを特徴とするが、この切り欠き部ではただ単に切り欠き部を相互に噛み合わせるようにしただけなので、この切り欠き部を相互に噛み合わせるようにして挟み具を形成しても、安定性に欠け、使用感が良くないという指摘を受けている。【０００８】  本考案は、上記の課題を解決するために成されたものであり、食物保持部と把持部とからなり全体が比較的硬質な合成樹脂を用いて一体成型される飲食用の食事用具であり、該把持部の側縁に切り欠き部を形成し、該食事用具２本を組み合わせ該切欠き部を着脱自在に嵌合させ、当該２本の食事用具を挟持具（トング）として用いても、安定性に優れ、使用感が良く、耐久性に優れた、食事用具の提供を目的とする。
【課題を解決するための手段】
【００１０】  課題を解決するための第一の手段（請求項１）は、食物保持部と把持部とからなり全体が比較的硬質な合成樹脂を用いて一体成型される飲食用の食事用具であり、該把持部の側縁に切り欠き部を形成し、該食事用具２本を組み合わせたときには該切欠き部を着脱自在に嵌合させ当該２本の食事用具が挟持具状を形成するようにした食事用具において、各食事用具の切欠き部は各把持部の一側縁に嵌入部と咬合部で形成され、各嵌入部は各把持部の一側縁に設けた切欠き部に対向する把持部の他側縁を嵌脱可能に嵌入するように形成し、各咬合部は嵌入部に嵌入した把持部他側縁をさらに嵌脱可能に嵌合するように形成することを特徴とする、挟持具を形成する食事用具を提供することである。【００１１】  課題を解決するための第一の手段で示した挟持具を形成する食事用具に関しては、スプーンやフォークやナイフを示すものとする。本考案では、これらの中から２本を選択して挟持具として用いるので、以下のような組合せが可能になる。
（イ）スプーンとフォークとを組み合わせる場合。
（ロ）フォークとナイフとを組み合わせる場合。
（ハ）ナイフとスプーンとを組み合わせる場合。
（ニ）スプーンとスプーンとを組み合わせる場合。
（ホ）フォークとフォークとを組み合わせる場合。
（ヘ）ナイフとナイフとを組み合わせる場合。【００１２】  課題を解決するための第一の手段で示した比較的硬質な合成樹脂に関しては、本考案を成型したときに十分な強度と耐熱性を備えてあれば何を用いても構わないが、下記の合成樹脂の中から選択して用いればよい。例えば、ＡＢＳ樹脂、ＡＳ樹脂、アクリル、ポリカーボネート、高密度ポリエチレン、ポリプロピレン、ポリスチレン、ポリ塩化ビニリデン、ポリアミド、アラミド樹脂、ポリアセタール、メラミン樹脂、ポリエステル、などが知られている。【００１３】  課題を解決するための第一の手段で示した切欠き部に関しては、各食事用具の切欠き部は各把持部の一側縁に嵌入部と咬合部で形成され、各嵌入部は各把持部の一側縁に設けた切欠き部に対向する把持部の他側縁を嵌脱可能に嵌入するように形成し、各咬合部は嵌入部に嵌入した把持部他側縁をさらに嵌脱可能に嵌合するように形成することで、具体的には、本考案で示した食事用具で任意に組合せた２本の内の一つの把持部他側縁を他の食事用具の嵌入部に嵌脱可能に嵌入し、さらに嵌入した把持部他側縁を咬合部に嵌脱可能に嵌合することで各食事用具の切欠き部は互いに咬合しあい係止する。従って、各食事用具は相互に組み合わされた位置にロックされ、２本の食事用具は一つの挟持具としての作用を果たすようになる。【００１４】  課題を解決するための第二の手段（請求項２）は、前記各食事用具の把持部の表側には前記切欠き部から前記食物保持部の方向に任意の長さの溝状を形成し、前記切欠き部と前記溝状の一端部が連接するように形成することを特徴とする、課題を解決するための第一の手段（請求項１）に記載の挟持具を形成する食事用具を提供することである。【００１５】  課題を解決するための第二の手段で示した把持部の表側には前記切欠き部から食物保持部の方向に任意の長さの溝状を形成することに関しては、前記溝状の形状に関しては特に制限はなく、前記把持部の表面で前記切欠き部から食物保持部の方向に任意の長さに凹状が形成されたり切り欠きが形成されていてもよいものとする。【００１６】  課題を解決するための第二の手段で示した前記切欠き部と前記溝状の一端部が連接するように形成することに関しては、本考案で示した食事用具で任意に組合せた２本の内の一つに形成した溝状の一端部を他の食事用具の把持部他側縁の少なくとも一部が嵌合するように形成することで各食事用具の溝状の一端部に各食事用具の把持部他側縁が嵌合するようになることを特徴とするが、具体的には、本考案で示した食事用具で任意に組合せた２本の内の一つの把持部他側縁を他の食事用具の嵌入部に嵌入し次に咬合部に咬合させることで、各食事用具の溝状の一端部と各食事用具の把持部他側縁が互いに嵌合しあい係止する。従って、各食事用具は相互に組み合わされた位置に強力にロックされ、２本の食事用具は一つの挟持具としての作用をより強力に果たすようになる。また、前記溝状によって、前記把持部の強度が向上し、本考案で示した食事用具を挟持具として相当な頻度使用しても耐久性の向上に貢献するものである。また、前記溝状の一端部から他端部に向けて溝状の深さが浅くなるように形成させることで、本考案で示した食事用具を挟持具��して相当な頻度使用しても耐久性の向上がより一層期待できるので好ましい。【００１７】  課題を解決するための第三の手段（請求項３）は、前記各食事用具の裏側で、把持部と食物保持部の間に指を係止させる凸状体を設けることを特徴とする、課題を解決するための第一の手段（請求項１）または／及び課題を解決するための第二の手段（請求項２）に記載の挟持具を形成する食事用具を提供することである。【００１８】  課題を解決するための第三の手段で示した凸状体に関しては、例えば本考案で示した各食事用具の切欠き部同士を咬合させることで挟持具として使用可能になるが、この２つの食事用具を挟持具として使用する場合には、片手で各食事用具の把持部を把持し、各把持部の裏側から押圧することで各食物保持部が目的物を挟持するようになるので、前記把持部と食物保持部の間に凸状体を設けることによって指を係止させることが可能になり、その結果、各把持部の裏側からの押圧作業が楽になり挟持具（トング）としての使い勝手が向上することを本考案者が見出し本考案に至った次第である。【００１９】  課題を解決するための第三の手段で示した凸状体を設けることに関しては、前記食事用具の裏側で把持部と食物保持部の間に指を係止させることを可能にする形状であれば、その形状が凸状体であれば好ましいが、それ以外の形状でもよいものとする。また前記凸状体の形状や寸法に関しては任意で構わない。また、前記凸状体の形成手段に関しては、本考案の食事用具は全体が比較的硬質な合成樹脂を用いて一体成型されるので、前記凸状体が形成されるように金型を設計し通常の成型手段で構わないものとする。
【考案の効果】
【００２０】  本考案の請求項１（課題を解決するための第一の手段に記した記述を含む）に示した食事用具を提供できることによって、各食事用具を組み合わせて挟持具（トング）として使用する場合は、各食事用具の各切欠き部が強固に咬合しあい互いに確実に係止およびロックしあうので、強度と耐久性に十分優れた挟持具を形成する食事用具の提供が可能になる。【００２１】  本考案の請求項２（課題を解決するための第二の手段に記した記述を含む）に示した食事用具を提供できることによって、各食事用具を組み合わせて挟持具（トング）として使用する場合は、溝状と各食事用具の各切欠き部の連設効果によってさらに強固に咬合しあい、各切欠き部は互いにより確実に係止およびロックしあうので、強度と耐久性をより向上させた挟持具を形成する食事用具の提供が可能になる。【００２２】  本考案の請求項３（課題を解決するための第三の手段に記した記述を含む）に示した食事用具を提供できることによって、各食事用具を片手で把持し指で押圧するときに各食事用具の把持部裏側と食物保持部裏側の間に設けた凸状体が指を係止するので押圧作業が楽になりさらに押圧作業が確実に行なえ、かつ挟持具としての使い勝手が向上する挟持具を形成する食事用具の提供が可能になる。【００２３】  また本考案に示した挟持具を提供できることによって、各食事用具は着脱自在に組み合わせることが可能であり、目的物によって、スプーンやフォークやナイフを自在に組合わせた挟持具の利用が可能になる。【００２４】  また本考案に示した挟持具を提供できることによって、従来の同種のモノに比べて、本考案に示した各食事用具に設けた凸状体と溝状と各食事用具の各切欠き部の連設効果との相乗効果によって、本考案に示した挟持具を、屋外内のイベント会場でのハードな使用環境や、アウトドアーでの乱雑な環境で乱暴な使用環境に対しても、本考案の挟持具はブレることなく挟持作業を遂行できる。【００２５】  また本考案に示した挟持具を提供できることによって、全体が比較的硬質な合成樹脂を用いて一体成型される飲食用の食事用具でありながら、本考案の各切欠き部が強固に咬合しあい互いに確実に係止およびロックしあう構造なので、本考案の挟持具が相当に軽量で強固である結果、上述した使用環境であっても利用者が長時間使用しても疲労感が軽減でき、軽量でありながら使い勝手が向上するので、上述した使用環境であっても利用者の負担を低減できる。【００２６】  また本考案に示した挟持具を提供できることによって、従来の同種のモノに比べて、本考案に示した各食事用具に設けた凸状体と溝状と各食事用具の各切欠き部の連設効果との相乗効果によって、各食事用具を相当にしならせるような使い方を連続して遂行しても、合成樹脂を用いて一体成型される飲食用の食事用具でありながら、十分な耐久性を維持することが可能である。【００２７】  また本考案の請求項３（課題を解決するための第三の手段に記した記述を含む）に示した食事用具を提供できることによって、各食事用具に設けた凸状体は、各食事用具を単独で使用した場合には、卓上や床上や地面に、凸状体がある側に各食事用具を載置することで食物保持部の裏側のヨゴレを防止することが可能な衛��的な食事用具の提供が可能になる。【００２８】
【考案を実施するための最良の形態】
【００３０】  以下、図１〜図４に基づいて本考案の一実施形態を説明する。図１は本考案に基づいた食事用具を示す斜視図であり、図２は本考案に基づいた食事用具を示す斜視図であり、図３は本考案に基づいた食事用具を組み合わせた状態を示す正面図であり、図４は本考案に基づいた食事用具を組み合わせた状態を示す斜視図である。
【実施例１】
【００３１】  図１から図４より、Ｓ１は食物保持部Ｓ１０と把持部Ｓ２０とからなり全体が比較的硬質な合成樹脂を用いて一体成型される飲食用の食事用具でありこの実施例ではスプーンを選択しており、Ｓ１１は食物保持部Ｓ１０の表側を示し、Ｓ１２は食物保持部Ｓ１０の裏側を示し、Ｓ２１は把持部Ｓ２０の表側を示し、Ｓ２２は把持部Ｓ２０の裏側を示し、Ｓ２３は把持部Ｓ２０の一側縁を示している。Ｆ１は食物保持部Ｆ１０と把持部Ｆ２０とからなり全体が比較的硬質な合成樹脂を用いて一体成型される飲食用の食事用具でありこの実施例ではフォークを選択しており、Ｆ１１は食物保持部Ｆ１０の表側を示し、Ｆ１２は食物保持部Ｆ１０の裏側を示し、Ｆ２１は把持部Ｆ２０の表側を示し、Ｆ２２は把持部Ｆ２０の裏側を示し、Ｆ２３は把持部Ｆ２０の一側縁を示している。ＳＦ１はスプーンＳ１とフォークＦ１を組み合せ挟持具状（トング）を形成した状態を示している挟持具である。Ｓ３０は把持部一側縁Ｓ２３の任意の部位に形成した切り欠き部であり、Ｆ３０は把持部一側縁Ｆ２３の任意の部位に形成した切り欠き部であり、切欠き部Ｓ３０と切欠き部Ｆ３０を嵌脱自在に嵌合させ組み合わせることで、スプーンＳ１とフォークＦ１は挟持具ＳＦ１を形成する。スプーンＳ１の切欠き部Ｓ３０は嵌入部Ｓ３１と咬合部Ｓ３２で構成され、フォークＦ１の切欠き部Ｆ３０は嵌入部Ｆ３１と咬合部Ｆ３２で構成され、スプーンＳ１の嵌入部Ｓ３１はフォークＦ１の把持部一側縁Ｆ２３に切欠き部Ｆ３０を形成したときに生ずる把持部一側縁Ｆ２３に対向する把持部他側縁Ｆ２４が嵌脱可能に嵌入するように形成し、フォークＦ１の嵌入部Ｆ３１はスプーンＳ１の把持部一側縁Ｓ２３に切欠き部Ｓ３０を形成したときに生ずる把持部一側縁Ｓ２３に対向する把持部他側縁Ｓ２４が嵌脱可能に嵌入するように形成し、スプーンＳ１の咬合部Ｓ３２は嵌入部Ｓ３１に嵌入したフォークＦ１の把持部他側縁Ｆ２４が嵌脱可能に嵌合するように形成し、フォークＦ１の咬合部Ｆ３２は嵌入部Ｆ３１に嵌入したスプーンＳ１の把持部他側縁Ｓ２４が嵌脱可能に嵌合するように形成する。挟持具ＳＦ１は、スプーンＳ１の切欠き部Ｓ３０とフォークＦ１の切欠き部Ｆ３０の構造によって、切欠き部Ｓ３０と切欠き部Ｆ３０を組合わせることで互いに咬合しあい係止しロックされ、その結果スプーンＳ１とフォークＦ１は挟持具ＳＦ１として挟持具（トング）としての作用を果たすようになる。
【実施例２】
【００３２】  図１と図２と図４より、Ｓ４０は、スプーンＳ１の把持部表側Ｓ２１で切欠き部Ｓ３０から食物保持部表側Ｓ１１の方向に任意の長さ分または／及び深さ分または／及び幅分で形成した溝状であり、溝状Ｓ４０は一端部Ｓ４１と他端部Ｓ４２で構成され、溝状一端部Ｓ４１は切欠き部Ｓ３０と連接するように形成され、溝状他端部Ｓ４２は把持部表側Ｓ２１上の任意部位に設けられ、溝状一端部Ｓ４１は切欠き部Ｓ３０と連接するように形成し、フォークＦ１の把持部他側縁Ｆ２４の少なくとも一部を溝状一端部Ｓ４１に嵌脱可能に嵌合するように形成することで、把持部他側縁Ｆ２４と溝状一端部Ｓ４１は互いに嵌合しあい係止し、切欠き部Ｓ３０と切欠き部Ｆ３０は相互に組み合わされた位置に強力にロックされ、挟持具ＳＦ１はあたかも一体の挟持具の如く挟持具としての作用をより強力に果たすようになる。また、溝状一端部Ｓ４１から溝状他端部Ｓ４２に向けて溝状の深さが浅くなるように形成させることで、本実施例で示したスプーンＳ１を挟持具として相当な頻度使用しても耐久性の向上がより一層期待できる。
図１と図２と図４より、Ｆ４０は、フォークＦ１の把持部表側Ｆ２１で切欠き部Ｆ３０から食物保持部表側Ｆ１１の方向に任意の長さ分または／及び深さ分または／及び幅分で形成した溝状であり、溝状Ｆ４０は一端部Ｆ４１と他端部Ｆ４２で構成され、溝状一端部Ｆ４１は切欠き部Ｆ３０と連接するように形成され、溝状他端部Ｆ４２は把持部表側Ｆ２１上の任意部位に設けられ、溝状一端部Ｆ４１は切欠き部Ｆ３０と連接するように形成し、スプーンＳ１の把持部他側縁Ｓ２４の少なくとも一部を溝状一端部Ｆ４１に嵌脱可能に嵌合するように形成することで、把持部他側縁Ｓ２４と溝状一端部Ｆ４１は互いに嵌合しあい係止し、切欠き部Ｆ３０と切欠き部Ｓ３０は相互に組み合わされた位置に強力にロックされ、挟持具ＳＦ１はあたかも一体の挟持具の如く挟持具としての作用をより強力に果たすようになる。また、溝状一端部Ｆ４１から溝状他端部Ｆ４２に向けて溝状の深さが浅くなるように形成させることで、本実施例で示したフォークＦ１を挟持具として相当な頻度使用しても耐久性の向上がより一層期待できる。
【実施例３】
【００３３】  図１と図２と図４より、Ｓ５０は、スプーンＳ１の把持部裏側Ｓ２２と食物保持部裏側Ｓ１２の間に設けられ、指を係止するように形成した凸状体であり、Ｆ５０は、フォークＦ１の把持部裏側Ｆ２２と食物保持部裏側Ｆ１２の間に設けられ、指を係止するように形成した凸状体である。したがって、挟持具ＳＦ１が挟持具（トング）として作用するには、スプーンＳ１の把持部裏側Ｓ２２と食物保持部裏側Ｓ１２の間と、フォークＦ１の把持部裏側Ｆ２２と食物保持部裏側Ｆ１２の間に片手で把持し指で押圧することで、食物保持部表側Ｓ１１と食物保持部表側Ｆ１１とで目的物が挟持され挟持具ＳＦ１が挟持具としての作用を果たすようになるので、凸状体Ｓ５０と凸状体Ｆ５０によって指が係止され押圧作業が楽になりながら押圧作業が確実に行なえ、すなわち挟持具としての使い勝手が向上することを本考案者が見出し本考案に至った次第である。また、凸状体Ｓ５０と凸状体Ｆ５０の形状や寸法に関しては任意で構わないものとする。また、凸状体Ｓ５０と凸状体Ｆ５０の形成手段に関しては、本考案の食事用具は全体が比較的硬質な合成樹脂を用いて一体成型されるので、凸状体Ｓ５０と凸状体Ｆ５０が形成されるように金型を設計し通常の成型手段で構わないものとする。また、凸状体Ｓ５０と凸状体Ｆ５０の形成手段に関しては、スプーンＳ１とフォークＦ１を予め製作しておき、公知の手段で凸状体になるように形成された凸状体Ｓ５０と凸状体Ｆ５０を所定の部位に固着しても構わないものとする。【００３５】  上記実施の形態の説明は、本考案を説明するためのものであって、実用新案登録請求の範囲に記載の考案を限定し、或は範囲を減縮するものではない。又、本考案の各部構成は上記実施の形態に限らず、実用新案登録請求の範囲に記載の技術的範囲内で種々の変形が可能である。
【産業上の利用可能性】
【００３６】  本考案の食事用具は、挟持具（トング）として利用できるようになっているが、本明細書に記載した食事用具は、単独でも使用可能であるので、産業上の利用価値が高い。
【図面の簡単な説明】
【００３７】
【図１】本考案の食事用具を示す斜視図である。
【図２】本考案の食事用具を示す斜視図である。
【図３】本考案による食事用具を組み合わせた状態を示す正面図である。
【図４】本考案による食事用具を組み合わせた状態を示す斜視図である。
【符号の説明】
【００３８】ＳＦ１：挟持具    Ｓ１：スプーン    Ｆ１：フォーク
Ｓ１０：食物保持部
Ｓ１１：食物保持部表側    Ｓ１２：食物保持部裏側
Ｓ２０：把持部    Ｓ２１：把持部表側    Ｓ２２：把持部裏側
Ｓ２３：把持部一側縁    Ｓ２４：把持部他側縁
Ｓ３０：切欠き部    Ｓ３１：嵌入部    Ｓ３２：咬合部
Ｓ４０：溝状    Ｓ４１：溝状一端部    Ｓ４２：溝状他端部
Ｓ５０：凸状体
Ｆ１０：食物保持部
Ｆ１１：食物保持部表側    Ｆ１２：食物保持部裏側
Ｆ２０：把持部    Ｆ２１：把持部表側    Ｆ２２：把持部裏側
Ｆ２３：把持部一側縁    Ｆ２４：把持部他側縁
Ｆ３０：切欠き部    Ｆ３１：嵌入部    Ｆ３２：咬合部
Ｆ４０：溝状    Ｆ４１：溝状一端部    Ｆ４２：溝状他端部
Ｆ５０：凸状体
【図１】
0003175633.tif 000003
【図２】
0003175633.tif 000004
【図３】
0003175633.tif 000005
【図４】
0003175633.tif 000006